(57)【特許請求の範囲】
【請求項１】
無線通信システムにおいて測定参照信号（ＳＲＳ）を送信する方法であって、
無線リソース制御（ＲＲＣ）信号通知を介して、非周期的ＳＲＳ送信が可能なサブフレームを示す第１の端末（ＵＥ）特定設定を受信するステップであって、前記送信が可能なサブフレームは周期的に設定される、ステップと、
非周期的ＳＲＳ送信を要求する要求情報を含む物理ダウンリンク制御チャネル（ＰＤＣＣＨ）信号を受信するステップと、
前記送信が可能なサブフレーム内でのみ、前記要求情報に応答して、前記ＳＲＳを１回送信するステップと、
を有する方法。
【請求項２】
４ビット指示子を含むセル特定ＳＲＳ設定を受信するステップであって、前記４ビット指示子は複数のサブフレーム集合のうち一つを示すために用いられる、ステップを更に有し、
前記送信が可能なサブフレームは、前記複数のサブフレーム集合のうち、前記の示された一つの中に設定される、請求項１に記載の方法。
【請求項３】
前記ＳＲＳは、前記のＰＤＣＣＨ信号の受信から所定の時間が経過した後に、前記送信が可能なサブフレームのうち直近のサブフレームを用いて送信される、請求項１に記載の方法。
【請求項４】
周期的ＳＲＳ送信のための第２の端末特定設定を受信するステップと、
前記第２の端末特定設定を用いて、周期的にＳＲＳを送信するステップと、
を更に有する請求項１に記載の方法。
【請求項５】
無線通信システムにおいて測定参照信号（ＳＲＳ）を送信するように構成された装置であって、
無線周波（ＲＦ）ユニットと、
プロセッサと、を備え、
前記プロセッサは、
無線リソース制御（ＲＲＣ）信号通知を介して、非周期的ＳＲＳ送信が可能なサブフレームを示す第１の端末（ＵＥ）特定設定を受信し、前記送信が可能なサブフレームは周期的に設定され、
非周期的ＳＲＳ送信を要求する要求情報を含む物理ダウンリンク制御チャネル（ＰＤＣＣＨ）信号を受信し、
前記送信が可能なサブフレーム内でのみ、前記要求情報に応答して、前記ＳＲＳを１回送信する、ように構成される、装置。
【請求項６】
前記プロセッサは、
４ビット指示子を含むセル特定ＳＲＳ設定を受信し、前記４ビット指示子は複数のサブフレーム集合のうち一つを示すために用いられ、
前記送信が可能なサブフレームは、前記複数のサブフレーム集合のうち、前記の示された一つの中に設定される、ように更に構成される、請求項５に記載の装置。
【請求項７】
前記ＳＲＳは、前記のＰＤＣＣＨ信号の受信から所定の時間が経過した後に、前記送信が可能なサブフレームのうち直近のサブフレームを用いて送信される、請求項５に記載の装置。
【請求項８】
前記プロセッサは、
周期的ＳＲＳ送信のための第２の端末特定設定を受信し、
前記第２の端末特定設定を用いて、周期的にＳＲＳを送信する、
ように更に構成される、請求項５に記載の装置。
【請求項９】
無線通信システムにおいて測定参照信号（ＳＲＳ）を受信する方法であって、
無線リソース制御（ＲＲＣ）信号通知を介して、非周期的ＳＲＳ送信が可能なサブフレームを示す第１の端末（ＵＥ）特定設定を送信するステップであって、前記送信が可能なサブフレームは周期的に設定される、ステップと、
非周期的ＳＲＳ送信を要求する要求情報を含む物理ダウンリンク制御チャネル（ＰＤＣＣＨ）信号を送信するステップと、
前記送信が可能なサブフレーム内でのみ、前記要求情報に応答して、前記ＳＲＳを１回受信するステップと、
を有する方法。
【請求項１０】
４ビット指示子を含むセル特定ＳＲＳ設定を送信するステップであって、前記４ビット指示子は複数のサブフレーム集合のうち一つを示すために用いられる、ステップを更に有し、
前記送信が可能なサブフレームは、前記複数のサブフレーム集合のうち、前記の示された一つの中に設定される、請求項９に記載の方法。
【請求項１１】
前記ＳＲＳは、前記のＰＤＣＣＨ信号の送信から所定の時間が経過した後に、前記送信が可能なサブフレームのうち直近のサブフレームを用いて送信される、請求項９に記載の方法。
【請求項１２】
周期的ＳＲＳ送信のための第２の端末特定設定を送信するステップと、
前記第２の端末特定設定を用いて、周期的にＳＲＳを受信するステップと、
を更に有する請求項９に記載の方法。
【請求項１３】
無線通信システムにおいて測定参照信号（ＳＲＳ）を受信するように構成された装置であって、
無線周波（ＲＦ）ユニットと、
プロセッサと、を備え、
前記プロセッサは、
無線リソース制御（ＲＲＣ）信号通知を介して、非周期的ＳＲＳ送信が可能なサブフレームを示す第１の端末（ＵＥ）特定設定を送信し、前記送信が可能なサブフレームは周期的に設定され、
非周期的ＳＲＳ送信を要求する要求情報を含む物理ダウンリンク制御チャネル（ＰＤＣＣＨ）信号を送信し、
前記送信が可能なサブフレーム内でのみ、前記要求情報に応答して、前記ＳＲＳを１回受信する、ように構成される、装置。
【請求項１４】
前記プロセッサは、
４ビット指示子を含むセル特定ＳＲＳ設定を送信し、前記４ビット指示子は複数のサブフレーム集合のうち一つを示すために用いられ、
前記送信が可能なサブフレームは、前記複数のサブフレーム集合のうち、前記の示された一つの中に設定される、ように更に構成される、請求項１３に記載の装置。
【請求項１５】
前記ＳＲＳは、前記のＰＤＣＣＨ信号の送信から所定の時間が経過した後に、前記送信が可能なサブフレームのうち直近のサブフレームを用いて送信される、請求項１３に記載の装置。
【発明の詳細な説明】
【技術分野】
【０００１】
本発明は、無線通信システムに係り、特に、測定参照信号を送信する方法及びそのための装置に関するものである。
【背景技術】
【０００２】
無線通信システムが、音声又はデータなどのような種々の通信サービスを提供するために広範囲に展開されている。一般に、無線通信システムは、可用のシステムリソース（帯域幅、送信電力等）を共有してマルチユーザとの通信を支援できる多元接続システムである。多元接続システムの例には、符号分割多元接続（ＣＤＭＡ）システム、周波数分割多元接続（ＦＤＭＡ）システム、時分割多元接続（ＴＤＭＡ）システム、直交周波数分割多元接続（ＯＦＤＭＡ）システム、単一搬送波周波数分割多元接続（ＳＣ−ＦＤＭＡ）システム、複数搬送波周波数分割多元接続（ＭＣ−ＦＤＭＡ）などがある。
【発明の概要】
【発明が解決しようとする課題】
【０００３】
本発明の目的は、無線通信システムにおいて測定参照信号を効率的に送信する方法及びそのための装置を提供することにある。
【０００４】
本発明で達成しようとする技術的課題は、上に言及している技術的課題に制限されるものではなく、言及していない他の技術的課題は、下の記載によって、本発明の属する技術の分野における通常の知識を有する者には明らかになるであろう。
【課題を解決するための手段】
【０００５】
本発明の一態様として、無線通信システムにおいて測定参照信号（Ｓｏｕｎｄｉｎｇ  Ｒｅｆｅｒｅｎｃｅ  Ｓｉｇｎａｌ、ＳＲＳ）を送信する方法において、ＳＲＳ設定のためのセル特定パラメータを受信すること、ＳＲＳの非周期的な送信に用いることができるリソースを指示する第１の端末特定パラメータを受信すること、ＳＲＳ送信を要求する要求情報を受信すること、及び上記要求情報を受信した後、上記第１の端末特定パラメータによって割り当てられたリソースを用いてＳＲＳを送信すること、を含み、上記ＳＲＳは、上記セル特定パラメータによって指示されたサブフレーム内で送信される、ＳＲＳ送信方法が提供される。
【０００６】
本発明の他の態様として、無線通信システムにおいて測定参照信号（ＳＲＳ）を送信するように構成された装置であって、無線周波（ＲＦ）ユニットと、マイクロプロセッサと、を備え、上記マイクロプロセッサは、ＳＲＳ設定のためのセル特定パラメータを受信し、ＳＲＳの非周期的な送信に用いることができるリソースを指示する第１の端末特定パラメータを受信し、ＳＲＳ送信を要求する要求情報を受信し、上記要求情報を受信した後に、上記第１の端末特定パラメータによって割り当てられたリソースを用いてＳＲＳを送信するように構成され、上記ＳＲＳは、上記セル特定パラメータによって指示されたサブフレーム内で送信される、装置が提供される。
【０００７】
好ましくは、上記ＳＲＳが非周期的に送信されうるサブフレームは、上記セル特定パラメータによって指示されたサブフレーム内に周期的に配置される。
【０００８】
好ましくは、上記ＳＲＳは、上記要求情報を受信し、所定の時間が経過した後に、上記ＳＲＳを非周期的に送信することができるサブフレームのうち、直近のサブフレームを用いて送信される。
【０００９】
好ましくは、上記セル特定パラメータ及び上記第１の端末特定パラメータは、無線リソース制御（ＲＲＣ）信号通知を通じて受信され、上記要求情報は、物理ダウンリンク制御チャネル（ＰＤＣＣＨ）を通じて受信される。
【００１０】
好ましくは、ＳＲＳの周期的送信のための第２の端末特定パラメータを受信し、上記第２の端末特定パラメータによって割り当てられたリソースを用いてＳＲＳを周期的に送信すること、を更に含む
【発明の効果】
【００１１】
本発明の実施例によれば、無線通信システムにおいて測定参照信号を効率的に送信することができる。
【００１２】
本発明で得られる効果は、上で言及した効果に制限されず、言及していない他の効果は、下の記載から、本発明の属する技術の分野における通常の知識を有する者には明確に理解されるであろう。
【００１３】
本発明に関する理解を助けるために詳細な説明の一部として含まれる添付図面は、本発明に係る実施例を提供し、詳細な説明と共に本発明の技術的思想を説明するものである。
【図面の簡単な説明】
【００１４】
【図１】Ｅ−ＵＭＴＳのネットワーク構造を例示する図である。
【図２】３ＧＰＰシステムの無線フレームの構造を例示する図である。
【図３】ダウンリンクスロットのリソースグリッドを例示する図である。
【図４】ダウンリンクサブフレームの構造を例示する図である。
【図５】システムで用いられるアップリンクサブフレームの構造を例示する図である。
【図６】中継器を含む無線通信システムを例示する図である。
【図７】ＭＢＳＦＮサブフレームを用いるバックホール通信を例示する図である。
【図８】アクセスサブフレームとバックホールサブフレームとの境界を調節する方法を例示する図である。
【図９】アクセスサブフレームとバックホールサブフレームとの境界を調節する方法を例示する図である。
【図１０】アクセスサブフレームとバックホールサブフレームとの境界を調節する方法を例示する図である。
【図１１】アクセスサブフレームとバックホールサブフレームとの境界を調節する方法を例示する図である。
【図１２】バックホールサブフレームで中継器の動作を例示する図である。
【図１３】バックホールサブフレームで中継器の動作を例示する図である。
【図１４】バックホールサブフレームで中継器の動作を例示する図である。
【図１５】本発明の一実施例に係る、バックホールサブフレームにおいて中継器の動作を例示する図である。
【図１６】本発明の一実施例によってＳＲＳを非周期的に送信する方法を例示する図である。
【図１７】本発明の一実施例によってＳＲＳを非周期的に送信する方法を例示する図である。
【図１８】本発明に適用されうる基地局、中継器及び端末を例示する図である。
【発明を実施するための形態】
【００１５】
以降、添付図面を参照して説明される本発明の実施例から、本発明の構成、作用及び他の特徴は容易に理解されるであろう。本発明の実施例は、ＣＤＭＡ、ＦＤＭＡ、ＴＤＭＡ、ＯＦＤＭＡ、ＳＣ−ＦＤＭＡ、ＭＣ−ＦＤＭＡのような様々な無線接続技術において用いることができる。ＣＤＭＡは、はん用地上無線接続（ＵＴＲＡ）又はＣＤＭＡ２０００のような無線技術によって実現することができる。ＴＤＭＡは、世界移動体通信システム（ＧＳＭ（登録商標））／一般パケット無線サービス（ＧＰＲＳ）／ＧＳＭ（登録商標）進化用強化データ速度（ＥＤＧＥ）のような無線技術によって実現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２．２０、進化ＵＴＲＡ（Ｅ−ＵＴＲＡ）などのような無線技術によって実現することができる。ＵＴＲＡは、はん用移動体通信システム（ＵＭＴＳ）の一部である。第３世代パートナシッププロジェクト（３ＧＰＰ）長期進化システム（ＬＴＥ）は、Ｅ−ＵＴＲＡを用いる進化ＵＭＴＳ（Ｅ−ＵＭＴＳ）の一部である。高度ＬＴＥ（ＬＴＥ−Ａ）は、３ＧＰＰ ＬＴＥの進展したバージョンである。
【００１６】
以下の実施例は、本発明の技術的特徴が３ＧＰＰシステムに適用される場合を中心に説明するが、これは例示に過ぎず、本発明を制限するためのものではない。
図１は、Ｅ−ＵＭＴＳのネットワーク構造を示す図である。Ｅ−ＵＭＴＳは、ＬＴＥシステムと呼ぶこともできる。通信ネットワークは、広範囲に配置されて、音声及びパケットデータのような様々な通信サービスを提供する。
【００１７】
図１を参照すると、Ｅ−ＵＭＴＳネットワークは、進化はん用地上無線接続ネットワーク（Ｅ−ＵＴＲＡＮ）、進化パケットコア（ＥＰＣ）、及び端末（Ｕｓｅｒ  Ｅｑｕｉｐｍｅｎｔ、ＵＥ）を含む。Ｅ−ＵＴＲＡＮは、一つ以上の基地局（進化ノードＢ、ｅＮＢ）２０を含み、一つのセルに一つ以上の端末１０を配置することができる。移動性管理エンティティ／システム体系進化（ＭＭＥ／ＳＡＥ）ゲートウェイ３０は、ネットワークの末端に位置して外部ネットワークと接続することができる。ダウンリンクは、基地局２０から端末１０への通信を指し、アップリンクは、端末から基地局への通信を指す。
【００１８】
端末１０は、ユーザが携帯する通信装置であり、基地局２０は、一般的に端末１０と通信する固定局である。基地局２０は、ユーザ面及び制御面の端点を端末１０に提供する。一つの基地局２０をセルごとに配置することができる。ユーザ情報又は制御情報を送信するためのインタフェースを、基地局２０同士の間に用いることができる。ＭＭＥ／ＳＡＥゲートウェイ３０は、セッション及び移動性管理機能の端点を端末１０に提供する。基地局２０とＭＭＥ／ＳＡＥゲートウェイ３０とはＳ１インタフェースを介して接続することができる。
【００１９】
ＭＭＥは、呼出しメッセージの基地局２０への配信、セキュリティ制御、休止状態移動性制御、ＳＡＥベアラ制御、及び非接続層（ＮＡＳ）信号通知の暗号化及び完全性保護を含む様々な機能を提供する。ＳＡＥゲートウェイホストは、面パケットの完結のためのユーザ面切替え及び端末１０の移動性支援を含む様々な機能を提供する。ＭＭＥ／ＳＡＥゲートウェイ３０を本明細書では簡単にゲートウェイと呼ぶ。しかし、ＭＭＥ／ＳＡＥゲートウェイ３０は、ＭＭＥ及びＳＡＥゲートウェイの両方を含む。
【００２０】
基地局２０とゲートウェイ３０との間に、複数のノードをＳ１インタフェースを介して接続することができる。基地局２０同士は、Ｘ２インタフェースを介して相互接続され、隣接する基地局は、Ｘ２インタフェースを有するメッシュネットワーク構造を有することができる。
【００２１】
図２は、３ＧＰＰシステムにおいて用いられる無線フレームの構造を例示する図である。
【００２２】
図２を参照すると、無線フレームは、１０ｍｓ（３０７２００・Ｔs）の長さを有し、１０個の均等なサイズのサブフレームによって構成されている。それぞれのサブフレームは、１ｍｓの長さを有し、２個のスロットによって構成されている。それぞれのスロットは、０．５ｍｓ（１５３６０・Ｔs）の長さを有する。ここで、Ｔsは、サンプリング時間を表し、Ｔs＝１／（１５ｋＨｚ×２０４８）＝３．２５５２×１０-8（約３３ｎｓ）によって表される。スロットは、時間領域において複数の直交周波数分割多重化（ＯＦＤＭ）シンボルを含み、周波数領域において複数のリソースブロック（ＲＢ）を含む。ＬＴＥシステムにおいて、１つのリソースブロックは１２個の副搬送波×７（６）個のＯＦＤＭシンボルを含む。データの送信される単位時間である送信時間間隔（ＴＴＩ）は、１以上のサブフレーム単位とすることができる。上述した無線フレームの構造は例示に過ぎず、無線フレームにおいてサブフレームの数、サブスロットの数、又はＯＦＤＭ／ＳＣ−ＦＤＭＡシンボルの数は様々に変更可能である。
【００２３】
図３は、ダウンリンクスロットのリソースグリッドを例示する図である。
【００２４】
図３を参照すると、ダウンリンクスロットは、時間領域において複数（例えば、７個）のＯＦＤＭシンボルを含み、周波数領域においてＮDLRB個のリソースブロックを含む。それぞれのリソースブロックが１２個の副搬送波を含むため、ダウンリンクスロットは周波数領域においてＮDLRB×１２個の副搬送波を含む。図３は、ダウンリンクスロットが７個のＯＦＤＭシンボルを含み、リソースブロックが１２個の副搬送波を含む場合を示しているが、これに制限されるものではない。例えば、ダウンリンクスロットに含まれるＯＦＤＭシンボルの個数は、巡回プレフィクス（ＣＰ）の長さによって変化する。リソースグリッド上の各要素を、リソース要素（ＲＥ）という。ＲＥは、物理チャネルで定義される最小の時間／周波数リソースであり、１つのＯＦＤＭシンボルインデクス及び１つの副搬送波インデクスで指示される。１つのリソースブロックは、ＮDLsymb×ＮRBsc個のＲＥによって構成されている。ＮDLsymbは、ダウンリンクスロットに含まれたＯＦＤＭシンボルの個数であり、ＮRBscは、リソースブロックに含まれた副搬送波の個数である。ダウンリンクスロットに含まれるリソースブロックの数（ＮDLRB）は、セルで設定されるダウンリンク送信帯域幅に依存する。
【００２５】
図４は、３ＧＰＰシステムで用いられるダウンリンクサブフレームの構造を例示する図である。
図４を参照すると、サブフレームの先頭から一つ以上のＯＦＤＭシンボルが制御領域として用いられ、残りのＯＦＤＭシンボルはデータ領域として用いられる。制御領域のサイズは、サブフレームごとに独立して設定してもよい。制御領域は、スケジュール情報及びその他の第１階層／第２階層（Ｌ１／Ｌ２）制御情報を送信するために用いられる。データ領域は、情報を送信するために用いられる。制御チャネルは、物理制御フォーマット指示子チャネル（ＰＣＦＩＣＨ）、物理ハイブリッド自動再送要求（ＨＡＲＱ）指示子チャネル（ＰＨＩＣＨ）、物理ダウンリンク制御チャネル（ＰＤＣＣＨ）を含む。情報チャネルは、物理ダウンリンク共有チャネル（ＰＤＳＣＨ）を含む。
【００２６】
ＰＤＣＣＨは、送信チャネルである呼出しチャネル（ＰＣＨ）及びダウンリンク共有チャネル（ＤＬ−ＳＣＨ）のリソース割当と関連する情報、アップリンクスケジュール許可、ＨＡＲＱ情報などを各端末又は端末グループに知らせる。ＰＣＨ及びＤＬ−ＳＣＨは、ＰＤＳＣＨを通じて送信される。そのため、基地局及び端末は、特定の制御情報又は特定のサービスデータ以外は、主にＰＤＳＣＨを通じてデータをそれぞれ送信及び受信する。ＰＤＣＣＨを通じて送信される制御情報をダウンリンク制御情報（ＤＣＩ）という。ＤＣＩは、アップリンクリソース割当情報、ダウンリンクリソース割当情報及び任意の端末グループに対するアップリンク送信電力制御命令などを指示する。基地局は、端末に送信しようとするＤＣＩに基づいてＰＤＣＣＨフォーマットを決定し、制御情報に巡回冗長検査ビット（ＣＲＣ）を付加する。ＣＲＣは、ＰＤＣＣＨの所有者又は用途に応じて固有の識別子（例えば、無線ネットワーク一時識別子（ＲＮＴＩ））によってマスクされる。
【００２７】
図５は、３ＧＰＰシステムにおいて用いられるアップリンクサブフレームの構造を例示する図である。
【００２８】
図５を参照すると、ＬＴＥアップリンク送信の基本単位である１ｍｓ長のサブフレーム５００は、２つの０．５ｍｓスロット５０１によって構成される。正規（Ｎｏｒｍａｌ）巡回プレフィクスの長さを仮定すると、各スロットは７個のシンボル５０２によって構成され、一つのシンボルは１つのＳＣ−ＦＤＭＡシンボルに対応する。リソースブロック（ＲＢ）５０３は、周波数領域において１２個の副搬送波、そして時間領域において１スロットに該当するリソース割当単位である。ＬＴＥのアップリンクサブフレームの構造は、データ領域５０４と、制御領域５０５とに大別される。データ領域は、各端末に送信される音声、パケットなどのデータを送信するために用いられる通信リソースを意味し、物理アップリンク共有チャネル（ＰＵＳＣＨ）を含む。制御領域は、アップリンク制御信号、例えば、各端末からのダウンリンクチャネル品質報告、ダウンリンク信号に対する受信肯定応答／否定応答（ＡＣＫ／ＮＡＣＫ）、アップリンクスケジュール要求などを送信するために用いられる通信リソースを意味し、物理アップリンク制御チャネル（ＰＵＣＣＨ）を含む。測定参照信号（ＳＲＳ）は、一つのサブフレームにおいて時間軸上で最後に配置されるＳＣ−ＦＤＭＡシンボルを通じて送信される。同じサブフレームの最後のＳＣ−ＦＤＭＡシンボルによって送信される多数の端末のＳＲＳは、周波数位置／シーケンスによって区別することができる。
【００２９】
既存の３ＧＰＰ Ｒｅｌ−９（ＬＴＥ）において、ＳＲＳは周期的に送信されるに過ぎない。ＳＲＳの周期的送信のための設定（ｃｏｎｆｉｇｕｒａｔｉｏｎ）は、セル特定ＳＲＳパラメータ及び端末特定ＳＲＳパラメータによって設定（ｃｏｎｆｉｇｕｒｅ）される。セル特定ＳＲＳパラメータ（すなわち、セル特定ＳＲＳ設定）及び端末特定ＳＲＳパラメータ（すなわち、端末特定ＳＲＳ設定）は、上位層（例、ＲＲＣ）信号通知を通じて端末に送信される。
【００３０】
セル特定ＳＲＳパラメータは、ｓｒｓ−ＢａｎｄｗｉｄｔｈＣｏｎｆｉｇ、ｓｒｓ−ＳｕｂｆｒａｍｅＣｏｎｆｉｇを含む。ｓｒｓ−ＢａｎｄｗｉｄｔｈＣｏｎｆｉｇは、ＳＲＳを送信することができる周波数帯域に関する情報を指示し、ｓｒｓ−ＳｕｂｆｒａｍｅＣｏｎｆｉｇは、ＳＲＳを送信することができるサブフレームに関する情報を指示する。セル内においてＳＲＳを送信することができるサブフレームは、フレーム内において周期的に設定される。表１に、セル特定ＳＲＳパラメータのうち、ｓｒｓ−ＳｕｂｆｒａｍｅＣｏｎｆｉｇを示す。
【００３１】
【表１】
0005944834.tif 000002
【００３２】
ＴSFCは、セル特定サブフレーム構成（ｃｏｎｆｉｇｕｒａｔｉｏｎ）を表し、△SFCは、セル特定サブフレームオフセットを表す。ｓｒｓ−ＳｕｂｆｒａｍｅＣｏｎｆｉｇは、上位層によって提供される。
【００３３】
ＳＲＳは、ｆｌｏｏｒ（ｎs／２）ｍｏｄＴSFC∈△SFCを満たすサブフレームを通じて送信される。ｎsはスロットインデクスを表す。ｆｌｏｏｒ（）は、床関数を表し、ｍｏｄは、モジュロ演算を表す。
【００３４】
端末特定ＳＲＳパラメータは、ｓｒｓ−Ｂａｎｄｗｉｄｔｈ、ｓｒｓ−ＨｏｐｐｉｎｇＢａｎｄｗｉｄｔｈ、ｆｒｅｑＤｏｍａｉｎＰｏｓｉｔｉｏｎ、ｓｒｓ−ＣｏｎｆｉｇＩｎｄｅｘ、ｔｒａｎｓｍｉｓｓｉｏｎＣｏｍｂ、ｃｙｃｌｉｃＳｈｉｆｔを含む。ｓｒｓ−Ｂａｎｄｗｉｄｔｈは、当該端末がＳＲＳを送信すべき周波数帯域を設定するために用いられる値を表す。ｓｒｓ−ＨｏｐｐｉｎｇＢａｎｄｗｉｄｔｈは、ＳＲＳの周波数ホップを設定するために用いられる値を指示する。ＦｒｅｑＤｏｍａｉｎＰｏｓｉｔｉｏｎは、ＳＲＳが送信される周波数位置を決定するのに用いられる値を指示する。ｓｒｓ−ＣｏｎｆｉｇＩｎｄｅｘは、当該端末がＳＲＳを送信すべきサブフレームを設定するために用いられる値を指示する。ｔｒａｎｓｍｉｓｓｉｏｎＣｏｍｂは、ＳＲＳ送信ｃｏｍｂを設定するのに用いられる値を指示する。ｃｙｃｌｉｃＳｈｉｆｔは、ＳＲＳシーケンスに適用される巡回シフト値を設定するために用いられる値を指示する。
【００３５】
表２及び表３は、ｓｒｓ−ＣｏｎｆｉｇＩｎｄｅｘによるＳＲＳ送信周期及びサブフレームオフセットを表す。ＳＲＳ送信周期は、端末がＳＲＳを周期的に送信すべき時間間隔（単位、サブフレーム又はｍｓ）を表す。表２は周波数分割２重通信の場合を示し、表３は時分割２重通信（ＴＤＤ）の場合を示している。ＳＲＳ設定インデクス（ＩSRS）は端末別に信号通知され、各端末は、ＳＲＳ設定インデクス（ＩSRS）を用いてＳＲＳ送信周期（ＴSRS）及びＳＲＳサブフレームオフセット（Ｔoffset）を確認する。
【００３６】
【表２】
0005944834.tif 000003
【００３７】
【表３】
0005944834.tif 000004
【００３８】
要するに、既存の３ＧＰＰ Ｒｅｌ−９（ＬＴＥ）においてセル特定ＳＲＳパラメータは、セル内でＳＲＳ送信のために占有されたサブフレームを端末に知らせ、端末特定ＳＲＳパラメータは、ＳＲＳのために占有されたサブフレームのうち、該当の端末が実際に用いるサブフレームを知らせる。端末は、端末特定ＳＲＳパラメータで指定されたサブフレームの特定シンボル（例、最後のシンボル）を通じてＳＲＳを周期的に送信する。具体的には、ＳＲＳは、式１を満たすサブフレームにおいて周期的に送信される。
【００３９】
（式１）
【数１】
0005944834.tif 000005
（ＦＤＤの場合、及びTSRS>2であるＴＤＤの場合）
【数２】
0005944834.tif 000006
（TSRS = 2であるＴＤＤの場合）
【００４０】
ここで、ｎfは、フレームインデクスを表す。ＴSRSは、ＳＲＳ送信周期を表し、Ｔoffsetは、ＳＲＳ送信のための（サブフレーム）オフセットを表す。ｋSRSは、フレームｎf内のサブフレームインデクスを表す。ＦＤＤの場合、ｋSRS＝｛０，１，…，９｝である。ＴＤＤの場合、ｋSRSは、下記の表４の通りである。
【００４１】
【表４】
0005944834.tif 000007
【００４２】
一方、セル特定ＳＲＳパラメータを通じて占有されたサブフレームにおいてＳＲＳ送信を保護するために、端末は、当該サブフレームにおいて実際にＳＲＳを送信するか否かによらず、サブフレームの最後のシンボルを通じてアップリンク信号を送信しないことが必要である。
【００４３】
図６は、中継器を含む無線通信システムを例示する図である。中継器は、基地局のサービス領域を拡張し、又は陰影地域に設けられてサービスを円滑にする機能を担う。図６を参照すると、無線通信システムは、基地局、中継器及び端末を含む。端末は、基地局又は中継器と通信を行う。便宜上、基地局と通信を行う端末をマクロ端末（ｍａｃｒｏ  ＵＥ）と呼び、中継器と通信を行う端末を中継器端末（ｒｅｌａｙ  ＵＥ）と呼ぶ。基地局とマクロ端末との間の通信リンクをマクロアクセスリンクと呼び、中継器と中継器端末との間の通信リンクを中継器アクセスリンクと呼ぶ。また、基地局と中継器との間の通信リンクをバックホールリンクと呼ぶ。
【００４４】
中継器は、多段ホップ送信においてどれだけの機能を果たすかによって、第１階層（Ｌ１）中継器、第２階層（Ｌ２）中継器、及び第３階層（Ｌ３）中継器に区別することができる。それぞれの簡略な特徴は、次の通りである。Ｌ１中継器は、通常、リピータの機能を果たし、基地局／端末からの信号を単純に増幅して端末／基地局に送信する。中継器において復号を行わないため、送信遅延が短いというメリットがあるが、信号とノイズとを区別できず、ノイズまで増幅してしまうという欠点がある。このような欠点を補完するために、ＵＬ電力制御又は自己干渉除去のような機能を有する高度リピータ又はスマートリピータを用いることもできる。Ｌ２中継器の動作は、復号及び転送（ｄｅｃｏｄｅ−ａｎｄ−ｆｏｒｗａｒｄ）と表現することができ、ユーザ面情報をＬ２に送信することができる。ノイズが増幅されないという長所があるが、復号による遅延が増加するという短所がある。Ｌ３中継器は、自己バックホールと呼ぶこともでき、ＩＰパケットをＬ３に送信することができる。ＲＲＣ機能をも含んでおり、小規模の基地局のような役割を果たす。
【００４５】
Ｌ１、Ｌ２中継器は、中継器が、該当の基地局がカバーするドナーセルの一部の場合であると説明することができる。中継器がドナーセルの一部である場合は、中継器が中継器自体のセル及び当該セルの端末を制御できないため、中継器は自身のセルＩＤを有することができない。しかし、中継器の識別情報（ＩＤ）である中継器ＩＤを有することはできる。また、この場合は、無線リソース管理（ＲＲＭ）の一部機能は該当のドナーセルの基地局によって制御され、ＲＲＭの一部分は中継器に配置してもよい。Ｌ３中継器は、中継器が自身のセルを制御できる場合に相当する。この場合は、中継器が一つ以上のセルを管理することができ、中継器が管理する各セルは、固有の物理層セルＩＤを有することができる。Ｌ３中継器は、基地局と同じＲＲＭ機構を有することができる。端末にとっては、中継器が管理するセルに接続することと、一般基地局が管理するセルに接続することとに差異はない。
【００４６】
なお、中継器は移動性によって下記のように分類される。
・固定中継器（Ｆｉｘｅｄ  ＲＮ）：永続的に固定されて、陰影地域又はセルカバレッジ増大のために用いられる。単純リピータとしても機能する。
・遊動中継器（Ｎｏｍａｄｉｃ  ＲＮ）：ユーザが突然に増加したときに臨時に設置したり、建物内で任意に移したりできる中継器である。
・移動中継器（Ｍｏｂｉｌｅ  ＲＮ）：バス又は地下鉄のような公共輸送手段に装着可能な中継器であり、中継器の移動性を提供しなければならない。
【００４７】
なお、中継器とネットワークとのリンクによって次の分類も可能である。
・帯域内接続：ドナーセル内でネットワーク対中継器リンクとネットワーク対端末リンクとが同じ周波数帯域を共有する。
・帯域外接続：ドナーセル内でネットワーク対中継器リンクとネットワーク対端末リンクとが別個の周波数帯域を用いる。
【００４８】
また、端末が中継器の存在を認識するか否かによって下記の分類が可能である。
・透過中継器：端末は、ネットワークとの通信が中継器を介して行われるということがわからない。
・非透過中継器：端末は、ネットワークとの通信が中継器を介して行われるということがわかる。
【００４９】
図７は、ＭＢＳＦＮサブフレームを用いてバックホール送信を行う例を示す図である。帯域内中継モードにおいて、基地局−中継器リンク（すなわち、バックホールリンク）は、中継器−端末リンク（すなわち、中継器アクセスリンク）と同じ周波数帯域で動作する。中継器が基地局から信号を受信しながら端末に信号を送信する場合、又はその逆の場合に、中継器の送信器と受信器とは互いに干渉を誘発するため、中継器が同時に送信及び受信をすることには制限がある。そのために、バックホールリンク及び中継器アクセスリンクは、ＴＤＭ方式で区分（ｐａｒｔｉｔｉｏｎｉｎｇ）される。ＬＴＥ−Ａシステムにおいては、中継器ゾーンに存在する旧式ＬＴＥ端末の測定動作を支援するために、ＭＢＳＦＮサブフレームにおいてバックホールリンクを設定する（偽ＭＢＳＦＮ方法）。任意のサブフレームがＭＢＳＦＮサブフレームとして信号通知された場合に、端末は当該サブフレームの制御領域だけを受信するため、中継器は、当該サブフレームのデータ領域を用いてバックホールリンクを設定することができる。例えば、中継器ＰＤＣＣＨ（Ｒ−ＰＤＣＣＨ）は、ＭＢＳＦＮサブフレームの３番目のＯＦＤＭシンボルから最後のＯＦＤＭシンボルまでの特定リソース領域を用いて送信される。
【００５０】
本発明の一実施例として、中継器が基地局に信号を送信するアップリンクバックホールサブフレームにおいてＳＲＳ送信と関連した設定方式を提案する。
【００５１】
一般に、中継器がバックホールサブフレームにおいてアップリンク送信に用いうるＳＣ−ＦＤＭＡシンボルの個数及び位置は、基地局と中継器との間のサブフレーム境界を調節する方法、及び中継器が送受信動作を切り替えるために掛かる時間によって決定される。
【００５２】
図８乃至図１１に、アクセスサブフレームとバックホールサブフレームとの境界を調節する方法を例示する。同図では正規巡回プレフィクスの場合を例示する。各図面において、Ｇ１及びＧ２はそれぞれ、中継器のＲＸ／ＴＸ切替え及びＴＸ／ＲＸ切替えに必要な時間を表し、Ｔｐは、基地局と中継器間の伝ぱ（播）遅延を意味する。下記の場合が可能である。
【００５３】
・ケース１：アクセスＵＬサブフレームの境界とバックホールＵＬサブフレームの境界とが、一定ギャップだけずれた場合を示す。具体的には、アクセスＵＬサブフレームに対し、既存の伝ぱ遅延（Ｔｐ）に加えて、固定遅延（Ｔｏ）が与えられた場合を例示する（図８）。図８を参照すると、中継器は、アクセスＵＬサブフレームの受信が終わると、保護時間（Ｇ１）の後にバックホールＵＬサブフレームを送信することができる。アクセスＵＬサブフレームの最後のシンボルとバックホールＵＬサブフレームの最初のシンボルとが重なるため、バックホールＵＬサブフレームは、ＳＣ−ＦＤＭＡシンボル１から１３まで送信可能である。その後、バックホールＵＬサブフレームの送信が終わったとき、中継器は、保護時間（Ｇ２）の後にアクセスＵＬサブフレームを受信することができる。
【００５４】
・ケース２：中継器がＳＣ−ＦＤＭＡシンボル０からバックホールＵＬサブフレームの最後（ＳＣ−ＦＤＭＡシンボル１３）まで送信する場合を示す（図９及び図１０）。
【００５５】
ケース２−１は、アクセスＵＬサブフレームの境界がバックホールＵＬサブフレームの境界と整列し、ＲＮ切替え時間が非常に短い場合（＜巡回プレフィクス）を示す（図９）。ＲＸ／ＴＸ切替え及びＴＸ／ＲＸ切替えに必要な時間が巡回プレフィクス区間内に含まれるため、中継器は、バックホールサブフレームを損失なく送信することができる。
【００５６】
ケース２−２は、アクセスＵＬサブフレームの境界とバックホールＵＬサブフレームの境界とが、一定ギャップだけずれた場合を示す。具体的には、アクセスＵＬサブフレームに対し、既存の伝ぱ遅延（Ｔｐ）に加えて固定遅延（Ｔｏ）が与えられ、ＲＮ切替えのためにアクセスＵＬサブフレームの最後のＳＣ−ＦＤＭＡシンボルがパンクチャされた場合を例示する（図１０）。図１０を参照すると、アクセスＵＬサブフレームにおいてパンクチャされた最後のＳＣ−ＦＤＭＡシンボルが保護時間Ｇ１，Ｇ２として用いられる。そのため、中継器は、バックホールサブフレームを損失なく送信することができる。
【００５７】
・ケース３：アクセスＵＬサブフレームの境界とバックホールＵＬサブフレームの境界とが、一定ギャップだけずれた場合を示す。具体的には、アクセスＵＬサブフレームに対し、既存の伝ぱ遅延（Ｔｐ）に加えて固定アドバンス（Ｔo）が与えられた場合を例示する（図１１）。図１１を参照すると、中継器は、アクセスＵＬサブフレームの受信が終わったとき、保護時間Ｇ１の後にバックホールＵＬサブフレームを送信することができる。アクセスＵＬサブフレームの最後のシンボルとバックホールＵＬサブフレームの最初のシンボルとが、保護時間Ｇ１だけずれているため、バックホールＵＬサブフレームは、ＳＣ−ＦＤＭＡシンボル０から１２まで送信可能である（正規ＣＰの場合）。その後、バックホールＵＬサブフレームの送信が終わったとき、中継器は、保護時間Ｇ２の後にアクセスＵＬサブフレームを受信することができる。
【００５８】
ケース１、ケース２−１、ケース２−２の場合に、中継器は、最後のシンボル（正規ＣＰの場合にＳＣ−ＦＤＭＡシンボル１３）を送信することができる。そのため、中継器は、最後のＳＣ−ＦＤＭＡシンボルを用いてマクロ端末と同じ方式によってＳＲＳを送信することが可能である。
【００５９】
図１２乃至図１４は、バックホールサブフレームにおいて中継器の動作を例示する。中継器の動作は、ＳＲＳ送信設定によって下記の３動作に分類することができる。便宜上、図１０に例示したケース２−２状況を中心に説明する。
【００６０】
・動作１：中継器は、バックホールサブフレームの最後のＳＣ−ＦＤＭＡシンボルにおいて正規の動作を行う。中継器は、正規フォーマットのＰＵＣＣＨを送信することができ、ＰＵＳＣＨをバックホールサブフレームの最後のＳＣ−ＦＤＭＡシンボルまで送信することができる（図１２）。
【００６１】
・動作２：中継器は、バックホールサブフレームの最後のＳＣ−ＦＤＭＡシンボルにおいてＳＲＳを送信する。そのため、中継器は、短縮フォーマットのＰＵＣＣＨを用いなければならず、ＰＵＳＣＨ送信を最後のＳＣ−ＦＤＭＡシンボルの直前のシンボルで終了しなければならない（図１３）。
【００６２】
・動作３：中継器は、マクロ端末のＳＲＳ送信を保護するために、バックホールサブフレームの最後のＳＣ−ＦＤＭＡシンボルにおいて何らの信号も送信しない。そのため、中継器は、短縮フォーマットのＰＵＣＣＨを用いなければならず、ＰＵＳＣＨ送信を最後のＳＣ−ＦＤＭＡシンボルの直前のシンボルで終了しなければならない。この場合、ＳＲＳは送信しない（図１４）。
【００６３】
中継器は、ＴＸ／ＲＸ切替え時間が経過するまでは、中継器端末から信号を受信することができず、よって、ＴＸ／ＲＸ切替えがバックホールサブフレームの末尾に存在する場合に、中継器はバックホールサブフレームが終わるまで中継器端末から信号を受信することができない。そのため、何らかの理由で、中継器が最後のＳＣ−ＦＤＭＡシンボルで信号を送信しない場合は、最後のＳＣ−ＦＤＭＡシンボルが信号の送信及び受信のいずれにも用いられず、浪費されてしまう。
【００６４】
そこで、本発明は、中継器がバックホールサブフレームの最後のＳＣ−ＦＤＭＡシンボルでいずれの信号も送信しない場合（例、図１４の動作３）に、ＴＸ／ＲＸ切替え位置を一定時間だけ（例、１シンボル）操り上げることを提案する。この場合、中継器は、バックホールサブフレームと重なるアクセスサブフレームの最後のＳＣ−ＦＤＭＡシンボルの全部又は一部を用いて中継器端末の信号を受信することができる。この場合、最後のＳＣ−ＦＤＭＡシンボルは中継器端末のＳＲＳ送信に用いることができる。
【００６５】
図１５は、本発明の一実施例に係る中継器の動作例を示す図である。
【００６６】
図１５を参照すると、図１４に例示した動作３の場合に、中継器は、ＳＣ−ＦＤＭＡシンボル１３で何らの信号も送信しない。そのため、中継器は、ＳＣ−ＦＤＭＡシンボル１２まで信号を送信し、ＴＸ／ＲＸ切替えを１ ＳＣ−ＦＤＭＡシンボルだけ早めて開始することができる。その結果、中継器は、バックホールサブフレームの最後のＳＣ−ＦＤＭＡシンボルにおいて中継器端末が送信する信号を受信することができるため、無線リソースの効率性が向上する。好ましくは、最後のＳＣ−ＦＤＭＡシンボルは、中継器端末のＳＲＳ送信のために活用してもよい。
【００６７】
上述した動作のために、中継器は、例えば、動作３の行われるバックホールサブフレームに対応するアクセスサブフレームを、中継器セルのセル特定ＳＲＳ設定に含めることができる。又は、ＳＲＳ設定の便宜のために、中継器は、バックホールサブフレームで行われる動作を考慮せず、バックホールサブフレームに対応するすべてのアクセスサブフレームを中継器セルのセル特定ＳＲＳ設定に含めることもできる。又は、より簡単なＳＲＳ設定のために、中継器は、バックホールサブフレームと重なるすべてのアクセスサブフレームを中継器セルのセル特定ＳＲＳ設定に含めることもできる。最後の方法は、ケース２−２のように、バックホールサブフレームに先立つアクセスサブフレームが短縮ＰＵＣＣＨフォーマットを用いるべき場合に有効である。
【００６８】
本発明の他の実施例として、バックホールサブフレームにおいて中継器の動作区別に対する設定方式を説明する。３ＧＰＰ Ｒｅｌ−９（ＬＴＥ）までのバージョンにおいて、ＳＲＳの送信は半静的に設定されてきた。すなわち、基地局は、全体サブフレームを、ＳＲＳ送信の起きうるサブフレームとそうでないサブフレームとに区別し、ＳＲＳ送信の起きうるサブフレームを半静的なセル特定ＳＲＳ設定によって知らせる。セル特定ＳＲＳ設定に含まれたサブフレームにおいて、すべての端末は、最後のＳＣ−ＦＤＭＡシンボルにおいてＰＵＣＣＨ及びＰＵＳＣＨを送信しない。一方、基地局は、個別端末に端末特定ＳＲＳ設定を半静的に知らせるが、端末は、端末特定ＳＲＳ設定に含まれるサブフレームでは、指定されたリソースを用いて周期的にＳＲＳ送信を行う。このような半静的なＳＲＳ設定が中継器に適用されるとき、動作１のサブフレームは、セル特定ＳＲＳ設定に含まれないサブフレームとして、動作２のサブフレームは、セル特定ＳＲＳ設定に含まれると同時に、該当の中継器に対する端末特定ＳＲＳ設定に含まれるサブフレームとして、動作３のサブフレームは、セル特定ＳＲＳ設定に含まれるが、該当の中継器に対する端末特定ＳＲＳ設定には含まれないサブフレームとして、区別することができる。その結果、図１２乃至図１４で例示したバックホールサブフレーム動作は、ＬＴＥ Ｒｅｌ−９に存在する半静的なＳＲＳ設定信号通知だけでも区別可能になる。
【００６９】
一方、３ＧＰＰ Ｒｅｌ−１０（ＬＴＥ−Ａ）以降のバージョンでは、動的にＳＲＳを設定する方式を導入することができる。この動的ＳＲＳ設定とは、基地局が動的な方式（すなわち、非周期的な方式）でスケジュール信号を送信することによって、端末（あるいは中継器）が特定時点においてだけＳＲＳを送信することを指示する動作を意味する。ＳＲＳ送信は、物理制御チャネル信号通知（例、ＰＤＣＣＨ、Ｒ−ＰＤＣＣＨ）を通じて動的にスケジュールしてもよい。中継器が基地局から動的ＳＲＳ設定を受けたときは、それ以上バックホールサブフレーム動作を半静的に区別することができなくなる。そのため、変形された形態のＳＲＳサブフレーム区別方式が必要とされる。
【００７０】
そこで、本発明の更に他の実施例として、上述した動的ＳＲＳ設定のために、アップリンクバックホールサブフレームを下記の３タイプに区別することを提案する。
【００７１】
・サブフレームタイプ１：中継器は、最後のＳＣ−ＦＤＭＡシンボルにおいて正規動作を行う。すなわち、正規フォーマットのＰＵＣＣＨを送信でき、ＰＵＳＣＨも最後のＳＣ−ＦＤＭＡシンボルまで送信することができる。
【００７２】
・サブフレームタイプ２：中継器は、短縮フォーマットのＰＵＣＣＨを送信し、ＰＵＳＣＨについては、最後のＳＣ−ＦＤＭＡシンボルよりも１シンボル前に送信を終了するが、最後のＳＣ−ＦＤＭＡシンボル時点の前にはＴＸ／ＲＸ切替えを行わない。
【００７３】
・サブフレームタイプ３：中継器は、短縮フォーマットのＰＵＣＣＨを送信し、ＰＵＳＣＨについては、最後のＳＣ−ＦＤＭＡシンボルよりも１シンボル前に送信を終了する。なお、最後のＳＣ−ＦＤＭＡシンボルよりも１シンボル前にＴＸ／ＲＸ切替えを行う。その結果、当該バックホールサブフレームと重なるアクセスサブフレームの最後のＳＣ−ＦＤＭＡシンボルにおいて、中継器端末の信号を受信することができる。
【００７４】
このサブフレームタイプの区別と前述の中継器動作の区別との相違点は、サブフレームタイプの区別においてバックホールサブフレームでのＳＲＳ送信有無が基準になっていないという点である。サブフレームタイプ１は、動作１を行うサブフレームと同じ属性を有するが、サブフレームタイプ２では動作２及び動作３の両方も可能である。より具体的に、動作２を行うサブフレームはいずれも、サブフレームタイプ２となる。しかし、動作３を行うサブフレームは、一部がサブフレームタイプ２となりうるが、これらは潜在的に基地局が動的ＳＲＳをスケジュールできるサブフレームに該当する。動作３を行うサブフレームのうち、基地局が動的ＳＲＳをスケジュールする可能性のないサブフレームがサブフレームタイプ３に該当する。すなわち、動作３を行うサブフレームが動的ＳＲＳをスケジュールする可能性によって、サブフレームタイプ２又はタイプ３になるという点が最大の相違点である。例えば、中継器は、タイプ２のバックホールサブフレームでは図１４の動作を行わなければならず、タイプ３のバックホールサブフレームでは図１５の動作を行わなければならない。
【００７５】
本発明の更に他の実施例として、セル特定ＳＲＳ設定に含まれるサブフレームのうち、動的ＳＲＳのスケジュールの可能性があるサブフレームを知らせる信号を、基地局が中継器に送信することができる。例えば、動作３を行うサブフレーム（すなわち、セル特定ＳＲＳ設定には含まれるが、当該中継器に対する端末特定ＳＲＳ設定には含まれないサブフレーム）のうち、動的ＳＲＳのスケジュールの可能性があるサブフレームを知らせる信号を、基地局が中継器に送信することも可能である。そのために、動的ＳＲＳのスケジュール可能性を知らせる端末特定ＳＲＳ設定（すなわち、端末特定ＳＲＳパラメータ）信号を、基地局が中継器に送信することも可能である。具体的には、ＳＲＳの非周期的な送信に利用可能なリソースを指示する端末特定ＳＲＳ設定を、基地局が中継器に送信することができる。そのために、基地局が中継器に送信する端末特定ＳＲＳ設定に１ビット指示子を含めることによって、当該端末特定ＳＲＳ設定に含まれたサブフレームにおいて常にＳＲＳを送信するか、又は当該サブフレームで動的ＳＲＳをスケジュールされる場合にだけＳＲＳを送信するか、を知らせることが可能である。例えば、指示子が０のとき、３ＧＰＰ Ｒｅｌ−９と同様に、端末特定に設定されたサブフレームで常に周期的にＳＲＳを送信し、１のとき、動的ＳＲＳスケジュール時にだけＳＲＳを送信することができる。逆に、中継器が自身に接続している端末の信号を受信するために、１シンボル早めにＴＸ／ＲＸ切替えを行うサブフレームを知らせる信号を基地局に送信してもよい。
【００７６】
上述した方式によって特定バックホールサブフレームがタイプ２に設定されたとき（旗は、動的ＳＲＳのスケジュール可能性があるサブフレームに設定されたとき）、中継器は、当該サブフレームでは最後のＳＣ−ＦＤＭＡシンボルの前にＴＸ／ＲＸ切替えを行ってはならず、最後のシンボルまでＴＸモードで動作しなければならない。これは、潜在的な動的ＳＲＳスケジュールを待たなければならないためである。また、このようなサブフレームと重なるアクセスサブフレームでは、中継器端末がＳＲＳを送信しないように動作することが好ましい。
【００７７】
図１６及び図１７は、本発明の一実施例によってＳＲＳを動的（非周期的）に送信する方法を例示する図である。
【００７８】
図１６を参照すると、中継器は、基地局からＳＲＳ設定のためのセル特定パラメータを受信する（Ｓ１６１０）。セル特定パラメータは、ｓｒｓ−ＢａｎｄｗｉｄｔｈＣｏｎｆｉｇ及びｓｒｓ−ＳｕｂｆｒａｍｅＣｏｎｆｉｇを含む。ｓｒｓ−ＢａｎｄｗｉｄｔｈＣｏｎｆｉｇは、ＳＲＳが送信されうる周波数帯域に関する情報を指示し、ｓｒｓ−ＳｕｂｆｒａｍｅＣｏｎｆｉｇは、ＳＲＳが送信されうるサブフレームに関する情報を指示する。また、中継器は基地局からＳＲＳの非周期的な送信に用いられうるリソースを指示する端末特定パラメータを受信する（Ｓ１６２０）。ＳＲＳの非周期的な送信のための端末特定パラメータは、これに制限されるものではないが、ｓｒｓ−Ｂａｎｄｗｉｄｔｈ、ｓｒｓ−ＨｏｐｐｉｎｇＢａｎｄｗｉｄｔｈ、ｆｒｅｑＤｏｍａｉｎＰｏｓｉｔｉｏｎ、ｓｒｓ−ＣｏｎｆｉｇＩｎｄｅｘ、ｔｒａｎｓｍｉｓｓｉｏｎＣｏｍｂ、ｃｙｃｌｉｃＳｈｉｆｔのうち少なくとも一つを含む。段階Ｓ１６１０のセル特定パラメータ及び段階Ｓ１６２０の端末特定パラメータは、上位層信号通知（例、ＲＲＣ信号通知）を通じて基地局からリレーに伝達可能である。段階Ｓ１６１０及び段階Ｓ１６２０は、個別に信号通知してもよいし、同じメッセージを通じて共に信号通知してもよい。
【００７９】
その後、中継器は、基地局からＳＲＳ送信を要求する要求情報を受信する（Ｓ１６３０）。中継器は、物理ダウンリンク制御チャネル（例、Ｒ−ＰＤＣＣＨ）を通じてＳＲＳ要求情報を受信することができる。ＳＲＳ要求情報は、Ｒ−ＰＤＣＣＨのＤＣＩ（Ｄｏｗｎｌｉｎｋ  Ｃｏｎｔｒｏｌ  Ｉｎｆｏｒｍａｔｉｏｎ）に明示的に含まれてもよいし、マスク又はスクランブルを通じてＲ−ＰＤＣＣＨに暗黙的に含まれてもよい。中継器は、ＳＲＳ要求情報を受信すると、段階Ｓ１６２０の端末特定パラメータによって割り当てられたリソースを用いてＳＲＳを基地局に送信する（Ｓ１６４０）。このとき、ＳＲＳは、段階Ｓ１６１０のセル特定パラメータによって指示されたサブフレーム内において送信される。
【００８０】
ＳＲＳが非周期的に送信されうるサブフレームは、段階Ｓ１６１０のセル特定パラメータによって指示されたサブフレーム内に周期的に配置することができる。例えば、ＳＲＳが非周期的に送信されうるサブフレームを、ＳＲＳ送信周期（ＴSRS）及びＳＲＳサブフレームオフセット（Ｔoffset）によって与えることができる。この場合、式１を満たすサブフレームにおいてＳＲＳを送信することができる。参照として、式１を下記に示す。
【００８１】
（式１）
ＦＤＤの場合、及びTSRS>2であるＴＤＤの場合
【数３】
0005944834.tif 000008
TSRS = 2であるＴＤＤの場合
【数４】
0005944834.tif 000009
ここで、ｎf、ｋSRSは、式１において定義した通りである。
【００８２】
一方、基地局の要求に応じてＳＲＳを送信する場合に、式１に更なる制限がありうる。中継器が段階Ｓ１６３０のＳＲＳ要求情報を受信した場合に、これを処理（例、復号、復調など）するための基本的な時間が必要である。例えば、ＨＡＲＱ ＡＣＫ／ＮＡＣＫの場合に、ダウンリンクデータを受信したサブフレームから４サブフレームの後に、ＨＡＲＱ ＡＣＫ／ＮＡＣＫが送信されるようになっている。そのため、段階Ｓ１６４０のＳＲＳ送信は、段階Ｓ１６３０のＳＲＳ要求情報を受信してＮサブフレームの後に可能になる（例、Ｎ＝４）。したがって、段階Ｓ１６４０のＳＲＳ送信は、段階Ｓ１６３０のＳＲＳ要求情報を受信してＮサブフレームが経過した後に、式１に該当するサブフレームで送信することができる。
【００８３】
図１７を参照すると、セル特定ＳＲＳサブフレームは、２サブフレームごとに設定される。一方、端末特定ＳＲＳサブフレームは、１０サブフレームごとに設定される。すなわち、端末特定ＳＲＳサブフレームは、ＳＲＳ送信周期（ＴSRS）が１０サブフレーム（又は、ｍｓ）であり、ＳＲＳサブフレームオフセット（Ｔoffset）は０サブフレーム（又は、ｍｓ）である。ここで、端末特定ＳＲＳサブフレームは、非周期的なＳＲＳを送信することができるサブフレームを意味する。同図に示すように、１番目のフレームのサブフレーム＃２においてＳＲＳ送信要求が受信されると、中継器は、近接する端末特定ＳＲＳサブフレーム（ここでは、２番目のフレームのサブフレーム＃０）を通じてＳＲＳを基地局に送信する。一方、図示してはいないが、１番目のフレームのサブフレーム＃８においてＳＲＳ送信要求が受信された場合は、ＳＲＳ送信要求を受信したサブフレームと２番目のフレームのサブフレーム＃０との間に充分な信号処理時間が保証されないことがある。この場合、中継器は、ＳＲＳ送信要求を処理するための時間の後（例、４サブフレーム）に、直近の端末特定ＳＲＳサブフレーム（ここでは、３番目のフレームのサブフレーム＃０）を通じてＳＲＳを基地局に送信する。
【００８４】
便宜上、上記の説明（例、図１６及び図１７）は中継器の立場で記述したが、上記の説明に対応する動作が基地局においても同一／類似に行われる。例えば、基地局は、中継器にＳＲＳ設定のためのセル特定パラメータを送信する。また、基地局は中継器にＳＲＳの非周期的な送信に用いることができるリソースを指示する端末特定パラメータを送信する。その後、基地局は中継器にＳＲＳ送信を要求する要求情報を送信する。続いて、基地局は中継器からＳＲＳを受信する。このとき、ＳＲＳはセル特定パラメータによって指示されたサブフレーム内で送信される。
【００８５】
上ではＳＲＳ設定を中継器を中心に説明したが、同一／類似の方式を端末にも適用することができる。例えば、図１６及び図１７、及びこれらに関連する説明において、基地局−中継器の関係は、基地局−マクロ端末、中継器−中継器端末の関係に置き換えてもよい。特に、端末が、特定サブフレームにおいて動的ＳＲＳがスケジュールされないことを知っているときは、当該サブフレームにおいて送信回路を停止し、電力消耗を減らすなどの動作が可能になる。
【００８６】
図１８は、本発明に適用することができる基地局、中継器及び端末を例示する。
【００８７】
図１８を参照すると、無線通信システムは、基地局（ＢＳ）１１０、中継器（ＲＮ）１２０及び端末（ＵＥ）１３０を含む。便宜上、中継器に接続している端末を図示したが、端末は基地局に接続してもよい。
【００８８】
基地局１１０は、プロセッサ１１２、メモリ１１４及び無線周波（ＲＦ）ユニット１１６を含む。プロセッサ１１２は、本発明で提案した手順及び／又は方法を具現するように構成することができる。メモリ１１４は、プロセッサ１１２に接続し、プロセッサ１１２の動作と関連した種々の情報を記憶する。ＲＦユニット１１６は、プロセッサ１１２に接続し、無線信号を送信及び／又は受信する。中継器１２０は、プロセッサ１２２、メモリ１２４及び無線周波ユニット１２６を含む。プロセッサ１２２は、本発明で提案した手順及び／又は方法を具現するように構成することができる。メモリ１２４は、プロセッサ１２２に接続し、プロセッサ１２２の動作と関連した種々の情報を記憶する。ＲＦユニット１２６は、プロセッサ１２２に接続し、無線信号を送信及び／又は受信する。端末１３０は、プロセッサ１３２、メモリ１３４及びＲＦユニット１３６を含む。プロセッサ１３２は、本発明で提案した手順及び／又は方法を具現するように構成することができる。メモリ１３４は、プロセッサ１３２に接続し、プロセッサ１３２の動作と関連した種々の情報を記憶する。ＲＦユニット１３６は、プロセッサ１３２に接続し、無線信号を送信及び／又は受信する。基地局１１０、中継器１２０及び／又は端末１３０は、単一アンテナ又は複数アンテナを有することができる。
【００８９】
以上説明してきた実施例は、本発明の構成要素及び特徴を所定形態で結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更可能である。ある実施例の一部の構成や特徴は、別の実施例に含まれることもでき、別の実施例の対応する構成又は特徴に置き換えることもできる。特許請求の範囲において明示的な引用関係を有しない請求項を結合して実施例を構成したり、出願後の補正によって新しい請求項として含めたりすることができることは明らかである。
【００９０】
本明細書において、本発明の実施例は主に、端末、中継器、及び基地局間のデータ送受信関係を中心に説明された。本明細書において基地局によって行われるとした特定動作は、場合によっては、その上位ノードによって行ってもよい。すなわち、基地局を含む多数のネットワークノードからなるネットワークにおいて端末との通信のために行われる様々な動作は、基地局又は基地局以外の別のネットワークノードによって行われることは明らかである。基地局は、固定局、ノードＢ、進化ノードＢ（ｅＮＢ）、アクセスポイントなどの用語に代替可能である。また、端末は、ユーザ装置（ＵＥ）、移動機（ＭＳ）、移動加入者局（ＭＳＳ）などの用語に代替可能である。
【００９１】
本発明による実施例は様々な手段、例えば、ハードウェア、ファームウェア、ソフトウェア又はそれらの組合せなどによって具現することができる。ハードウェアによる具現の場合、本発明の一実施例は、一つ又はそれ以上の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、コントローラ、マイクロコントローラ、マイクロプロセッサなどによって具現することができる。
【００９２】
ファームウェア又はソフトウェアによる具現の場合、本発明の一実施例は、以上で説明された機能又は動作を行うモジュール、手順、関数などの形態に具現することができる。ソフトウェアコードは、メモリユニットに記憶されて、プロセッサによって駆動されるものであってよい。メモリユニットは、プロセッサの内部又は外部に設けられ、既に公知の様々な手段によってプロセッサとデータを授受することができる。
【００９３】
本発明は、本発明の特徴から逸脱しない範囲で別の特定の形態で具体化できるということは、当業者にとっては自明である。そのため、上記の詳細な説明は、いずれの面においても制限的に解釈してはならず、例示的なものとして考慮しなければならない。本発明の範囲は、添付の請求項の合理的な解釈によって決定すべきであり、本発明の均等範囲内における変更はいずれも本発明の範囲に含まれる。
【産業上の利用可能性】
【００９４】
本発明は、無線通信システムに関するものであり、具体的には、測定参照信号を送信する方法及びそのための装置に適用することができる。
【図１】
0005944834.tif 000010
【図２】
0005944834.tif 000011
【図３】
0005944834.tif 000012
【図４】
0005944834.tif 000013
【図５】
0005944834.tif 000014
【図６】
0005944834.tif 000015
【図７】
0005944834.tif 000016
【図８】
0005944834.tif 000017
【図９】
0005944834.tif 000018
【図１０】
0005944834.tif 000019
【図１１】
0005944834.tif 000020
【図１２】
0005944834.tif 000021
【図１３】
0005944834.tif 000022
【図１４】
0005944834.tif 000023
【図１５】
0005944834.tif 000024
【図１６】
0005944834.tif 000025
【図１７】
0005944834.tif 000026
【図１８】
0005944834.tif 000027